(57)【要約】      （修正有）【課題】施工現場にて台座の取付が簡単に行える便器の設置方法を提供する。【解決手段】互いに高さの異なる複数の台座３から選択する台座３を床４に固定し、固定した台座３上に便器本体１を載置し、便器本体１を台座３に固定することによって、便器本体１と台座３とを備える便器１００を床４に設置する。台座３には、上方に突出するガイド片３０と上方に突出するストッパー３１を有し、ガイド片３０に沿って一方向にスライドする便器本体１にストッパー３１を当てることにより位置決めを行う。【選択図】図１
2015021373.tif 000002
【特許請求の範囲】
【請求項１】
台座を床に固定し、
固定した前記台座上に便器本体を載置し、
前記便器本体を前記台座に固定することによって、前記便器本体と前記台座とを備える便器を前記床に設置することを特徴とする便器の設置方法。
【請求項２】
前記台座は、互いに高さの異なる複数の台座から選択される１つの台座であることを特徴とする請求項１に記載の便器の設置方法。
【請求項３】
前記台座は、前記台座から上方に突出するガイド片を有し、
前記便器本体の底部に前記ガイド片を当接させて前記便器本体を一方向にスライドさせたうえで、前記便器本体を前記台座に固定することを特徴とする請求項１または２に記載の便器の設置方法。
【請求項４】
前記台座は、前記台座から上方に突出するストッパーを更に有し、
前記ガイド片に沿って一方向にスライドする前記便器本体に前記ストッパーを当て、前記台座上の前記便器本体の位置決めを行ったうえで、前記便器本体を前記ストッパーに固定することを特徴とする請求項３に記載の便器の設置方法。
【発明の詳細な説明】
【技術分野】
【０００１】
本発明は、便器を床に設置する方法に関するものである。
【背景技術】
【０００２】
特許文献１には、床に設置される便器が開示されている。この便器は、使用者の着座位置が床面から便座の上面までの高さ寸法で決められる。
【先行技術文献】
【特許文献】
【０００３】
【特許文献１】特開２００８−３０３７１３号公報
【発明の概要】
【発明が解決しようとする課題】
【０００４】
上述した特許文献１の便器では、身長の高い使用者等にとっては、着座位置が適切な位置よりも低くなる等で、使用しにくいといった問題があった。
【０００５】
このような問題を解決するには、例えば、特許文献１の便器の底部に台座を取り付けて、着座位置を調整することが考えられる。通常、こういった台座の取付は、工場にて、便器の底部に下方から台座を重ね、この台座に下方から固定具を取り付けることで行われる。しかし、このように工場で台座が取り付けられた便器は、施工現場にて状況に合わせて着座位置を更に調整することが難しい。
【０００６】
一方、工場ではなく施工現場にて便器の底部に台座を取り付けるためには、便器を上下逆にして台座を取り付ける必要があって、施工現場での便器への台座の取付は容易ではない。
【０００７】
上記事情を鑑みて、本発明は、施工現場にて台座の取付が簡単に行える便器の設置方法を提案することを課題とする。
【課題を解決するための手段】
【０００８】
上記課題を解決する本発明の便器の設置方法は、台座を床に固定し、固定した前記台座上に便器本体を載置し、前記便器本体を前記台座に固定することによって、前記便器本体と前記台座とを備える便器を前記床に設置することを特徴とする。
【０００９】
また、前記台座は、互いに高さの異なる複数の台座から選択される１つの台座であることが好ましい。
【００１０】
また、前記台座は、前記台座から上方に突出するガイド片を有し、前記便器本体の底部に前記ガイド片を当接させて前記便器本体を一方向にスライドさせたうえで、前記便器本体を前記台座に固定することが好ましい。
【００１１】
また、前記台座は、前記台座から上方に突出するストッパーを更に有し、前記ガイド片に沿って一方向にスライドする前記便器本体に前記ストッパーを当て、前記台座上の前記便器本体の位置決めを行ったうえで、前記便器本体を前記ストッパーに固定することが好ましい。
【発明の効果】
【００１２】
本発明の便器の設置方法では、台座を床に固定した後で、この台座に便器本体を固定するようにしたことで、施工現場にて、便器本体を上下逆にせずとも、台座を便器本体の底部に取り付けることができて、台座の便器本体の底部への取付が簡単に行える。
【図面の簡単な説明】
【００１３】
【図１】本発明の実施形態の便器の設置方法を示す説明図である。
【図２】同上の便器を示し、（ａ）は分解斜視図であり、（ｂ）は組み立て状態の斜視図である。
【図３】同上の便器の組み立て状態における正面断面図である。
【発明を実施するための形態】
【００１４】
以下、本発明の実施形態を添付図面に基づいて説明する。
【００１５】
図２には、本実施形態の便器１００を示している。本実施形態の便器１００は、便器本体１と台座３とを備える。以下では、便器１００に着座した使用者から視た方向を基準として、各構成について説明する。
【００１６】
便器本体１は、ボウル１０を有する前部位１１、支持フレーム１２、排水トラップ部１３、便器付設装置１４、装置収納部１５、側部カバー１６、後部カバー１７、便座１８、及び便蓋１９を有する。
【００１７】
前部位１１は、支持フレーム１２の前部に螺子等（図示せず）により固定されて、支持フレーム１２に支持される。また、便器付設装置１４は、支持フレーム１２の後部に螺子等（図示せず）により固定されて、支持フレーム１２に支持される。排水トラップ部１３は、便器付設装置１４の下方に配置される。便器付設装置１４と支持フレーム１２と排水トラップ部１３とは、後部カバー１７と側部カバー１６と装置収納部１５と前部位１１とによって隠蔽される。
【００１８】
前部位１１は、外郭となる平断面略Ｕ字状のスカート部２０と、このスカート部２０の内側の上部に配置されるボウル１０と、スカート部２０の内側のボウル１０上に配置されるリム部２１とが溶着一体化されて構成される。前部位１１は合成樹脂製である。ボウル１０の底部には、水溜め部と、排出用筒部（図示せず）とを備える。前記排出用筒部は、その後方に配置された排水トラップ部１３に連通接続される。排水トラップ部１３は、トラップケース（図示せず）と、このトラップケースの内側でモータ（図示せず）により後端が上下回動するトラップ（図示せず）とを備える。このトラップの前端に、ボウル１０の前記排出用筒部が連通接続される。
【００１９】
便器付設装置１４は、ボウル１０内に洗浄水を吐出する吐出ノズル、上水道にタンクを介さずに直接接続されて前記吐出ノズルに給水を行う給水管、局部洗浄用の温水洗浄装置、乾燥装置、脱臭装置、及びこれらの制御を行う制御装置を有する。
【００２０】
便器付設装置１４は、装置収納部１５内に収納される。この装置収納部１５に便座１８と便蓋１９が回動自在に取り付けられている。便座１８は、回動させることで、図２（ａ）に示す起立姿勢と図２（ｂ）に示す倒伏姿勢とに切り換え自在である。また、便蓋１９は、回動させることで、図２（ａ）に示す起立姿勢と倒伏姿勢（図示せず）とに切り換え自在である。便蓋１９は、前記倒伏姿勢において、便座１８とボウル１０を上方から覆い隠し、便座１８を前方及び側方から覆い隠す。
【００２１】
支持フレーム１２は、床４（図１参照）に載置される略円環状の下フレーム１２０と、下フレーム１２０の後部上方に位置する左右一対の上フレーム１２１と、下フレーム１２０及び上フレーム１２１を接続する左右２本ずつの縦フレーム１２２とを有する。この下フレーム１２０の下面が、便器本体１の底面を構成する。
【００２２】
便器本体１の底部に取り付けられる台座３は、互いに高さの異なる複数の台座３から選択される１つの台座３である。複数の台座３は、例えば、高さが数ｃｍずつ異なる。台座３は、本実施形態では、便器本体１の底部に対応した形状をなしている。言い換えると、台座３は、便器本体１の底部に取り付けられた状態で、便器本体１のスカート部２０及び側部カバー１６及び後部カバー１７の外面に対して、台座３の外周面３２が略面一となるように形成されている（図２（ｂ）及び図３参照）。そのため、台座３は便器本体１の底部に取り付けられた状態で目立ちにくく、便器本体１と台座３とは一体的な外観を呈する。
【００２３】
本実施形態では、台座３は、支持フレーム１２の下フレーム１２０に対応して、平面視略円環状をなしている。台座３は、平面視略円環状の台座本体３５と、台座本体３５から上方に突出するガイド片３０と、台座本体３５から上方に突出するストッパー３１とを有する。
【００２４】
ガイド片３０は、台座３上に載置された下フレーム１２０の内側面に当接して、便器本体１を一方向（前後方向）にスライド可能とするものである。ガイド片３０は、台座本体３５の右部位と左部位に１つずつ設けられる。ガイド片３０は、前後方向を長手方向とする突条片であって、外側面が当接面をなしている。つまり、右のガイド片３０は、右側面が、下フレーム１２０の右部位の内側面（左側面）に当接する当接面をなす。そして、左のガイド片３０は、左側面が、下フレーム１２０の左部位の内側面（右側面）に当接する当接面をなす。この左右一対のガイド片３０の両方に下フレーム１２０の左右部位の内側面を当接させることで、便器本体１は、左右方向の移動が規制されて、前後方向にスライド自在となる。
【００２５】
ストッパー３１は、ガイド片３０に沿って一方向（前後方向）にスライドする便器本体１の前部（スカート部２０）に内側から（後方から）当たることで、便器本体１の前後方向の位置決めを行うものである。そして、ストッパー３１は、便器本体１の前方から打ち込まれる螺子等の固定具７によって、便器本体１の前部（スカート部２０）に固定されるものである。
【００２６】
ストッパー３１は、上縦片３１０と横片３１１と下縦片３１２とを有する。横片３１１は、上縦片３１０の下端部から後方に突出する。下縦片３１２は、横片３１１の後端部から下方に突出する。下縦片３１２の下端部の前面は、台座本体３５の前部の後面に一体化されている。横片３１１は、台座本体３５の上面との間に隙間が空くように設けられている。この隙間の上下距離は、下フレーム１２０の厚みと同じかそれよりも若干長い。この隙間が差込溝３１３となっている。差込溝３１３には、下フレーム１２０の前部が前方から差し込まれる。ストッパー３１は、上縦片３１０の前面３１４がストッパー面として機能する。つまり、前面３１４には、便器本体１をスライドさせる際に、スカート部２０の前部の後面が当たる。これにより、便器本体１は、前面３１４によってスライド移動が停止される。
【００２７】
台座３には、上下方向に貫通する貫通孔３３が複数設けられている。複数の貫通孔３３は、床固定用孔３３０と台座固定用孔３３１とを有する。床固定用孔３３０は、台座３を床４に固定する螺子等の固定具５が上方から取り付けられる孔である。台座固定用孔３３１は、便器本体１の下フレーム１２０を台座３に固定する螺子等の固定具６が上方から取り付けられる孔である。
【００２８】
なお、ストッパー３１は、台座３とは別部材であってもよい。この場合、ストッパー３１は、台座３または床４に螺子等の固定具（図示せず）によって固定される。
【００２９】
続いて、上述した便器本体１と台座３とを備える便器１００の床４への設置方法について説明する。
【００３０】
まず、施工者は、図１（ａ）に示すように、台座３を床４に載置し、台座３の床固定用孔３３０に固定具５を上方から取り付けて、台座３を床４に固定する。
【００３１】
次いで、施工者は、図１（ｂ）に示すように、台座３の上方から便器本体１を台座３上に載置する。このとき、施工者は、差込溝３１３の前方に下フレーム１２０の前部が位置し、且つ左右のガイド片３０の外側面に下フレーム１２０の左右部位の内側面が当接するように、便器本体１を台座３に対して前方にずらした状態で、台座３に載置する。
【００３２】
次いで、施工者は、図１（ｃ）に示すように、便器本体１を左右のガイド片３０に沿わせて後方にスライド移動させて、スカート部２０の前部の後面を上縦片３１０の前面３１４に当てる。このとき、下フレーム１２０の前部が差込溝３１３内に位置して、下フレーム１２０全体が台座本体３５上に載置される。
【００３３】
次いで、施工者は、スカート部２０の前方から固定具７を取り付けて、スカート部２０の前部を上縦片３１０に固定する。そして、施工者は、便器本体１から下側の左右の側部カバー１６を外す。なお、便器本体１は、側部カバー１６が外された状態（取り付けていない状態）で、台座３上に載置されてもよい。次いで、施工者は、下フレーム１２０の露出した左右の後端部の上方から固定具６を取り付けて、下フレーム１２０を台座３に固定する。なお、このとき、施工者は、固定具６を、台座３に貫通させて床４まで取り付けてもよい。
【００３４】
最後に、施工者は、便器本体１に左右の側部カバー１６を取り付ける。なお、上述した固定具７の取付と固定具６の取付は、どちらを先にしてもかまわない。
【００３５】
以上説明した本実施形態の便器１００の設置方法では、台座３を床４に固定し、固定した台座３上に便器本体１を載置し、便器本体１を台座３に固定することによって、便器本体１と台座３とを備える便器１００を床４に設置している。
【００３６】
このように、本実施形態の便器１００の設置方法では、台座３を床４に固定した後で、この台座３に便器本体１を固定している。そのため、本実施形態の便器１００の設置方法では、施工現場にて、便器１００を上下逆にせずとも、台座３を便器本体１の底部に取り付けることができて、台座３の便器本体１の底部への取付が簡単に行える。
【００３７】
また、上述した実施形態の便器１００の設置方法のように、台座３が、互いに高さの異なる複数の台座３から選択される１つの台座３であることが好ましい。
【００３８】
このように本実施形態の便器１００の設置方法では、台座３を複数の高さのものから選択できるものとすることで、施工現場にて、状況に合わせた台座３を選択することができ、便器１００の着座位置を適切な高さ位置にすることができる。
【００３９】
また、上述した実施形態の便器１００の設置方法のように、台座３は、台座３から上方に突出するガイド片３０を有し、便器本体１の底部にガイド片３０を当接させて便器本体１を一方向にスライドさせたうえで、便器本体１を台座３に固定することが好ましい。
【００４０】
このように本実施形態の便器１００の設置方法では、便器本体１をガイド片３０に沿ってスライドさせるようにすることで、便器本体１を台座３上に載置する際に、台座３上の適切な位置（平面視にて重なる位置）に便器本体１を載置させやすくすることができる。
【００４１】
また、上述した実施形態の便器１００の設置方法のように、台座３は、台座３から上方に突出するストッパー３１を更に有することが好ましい。そして、この設置方法は、ガイド片３０に沿って一方向にスライドする便器本体１にストッパー３１を当て、台座３上の便器本体１の位置決めを行ったうえで、便器本体１をストッパー３１に固定することが好ましい。
【００４２】
このように本実施形態の便器１００の設置方法では、便器本体１のスライド移動をストッパー３１で止めるようにすることで、便器本体１を台座３上に載置する際に、台座３上の適切な位置（平面視にて重なる位置）に便器本体１を更に載置させやすくすることができる。加えて、本実施形態の便器１００の設置方法では、便器本体１をストッパー３１に固定するようにすることで、ストッパー３１を更に有効に活用することができる。
【００４３】
なお、上述した実施形態の便器１００では、台座３はガイド片３０とストッパー３１とを有するものであったが、ガイド片３０とストッパー３１の両方を有さないものであってもよいし、いずれか一方だけを有するものであってもよい。これらの場合の便器１００の設置方法においても、台座３を床４に固定した後で、この台座３に便器本体１を固定することができる。そのため、この設置方法でも、施工現場にて、便器１００を上下逆にせずとも、台座３を便器本体１の底部に取り付けることができ、台座３の便器本体１の底部への取付が簡単に行える。
【００４４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４５】
１      便器本体
３      台座
４      床
３０    ガイド片
３１    ストッパー
１００  便器
【図１】
2015021373.tif 000003
【図２】
2015021373.tif 000004
【図３】
2015021373.tif 000005